(57)【要約】【課題】  電波時計の受信状態が変化した場合でも、タイムコードの判別をより正確に行いうるようにすること。【解決手段】  受信回路部１が現在時刻の情報を有するタイムコードを電波で受信すると、ＣＰＵ２は、前記電波信号の受信状態を検出し、前記タイムコードを構成するパルス信号の周期、ノイズの情況、あるいは、受信強度の状態に応じて、前記タイムコードのパルス幅判定基準値を設定し、前記設定したパルス幅判定基準値に基づいて前記タイムコードの各パルス信号を判別することによって、前記タイムコードの判別を行う。【選択図】  図１
2007218821.tif 000002
【特許請求の範囲】
【請求項１】
現在時刻の情報を有するタイムコードを含む電波信号を受信する受信手段と、パルス幅判定基準値に基づいて前記タイムコードを判別する判別手段と、計時手段で計時している時刻を、前記判別手段が判別したタイムコードに対応する時刻に修正する時刻修正手段と、前記計時手段で計時している現在時刻を表示する表示手段とを有する電波時計において、
前記電波信号の受信状態を検出する検出手段と、前記検出手段によって検出した受信状態に応じて、前記タイムコードのパルス幅判定基準値を設定する判定基準値設定手段とを備えて成り、前記判別手段は、前記判定基準値設定手段が新たに設定したパルス幅判定基準値に基づいて前記タイムコードを判別することを特徴とする電波時計。
【請求項２】
前記検出手段は前記タイムコードを構成するパルス信号の周期の変動に基づいて受信状態を検出し、前記判定基準値設定手段は、前記検出手段によって検出した受信状態に応じて、前記タイムコードのパルス幅判定基準値を設定することを特徴とする請求項１記載の電波時計。
【請求項３】
前記検出手段は前記パルス信号の周期の所定数の移動平均値に基づいて受信状態を検出し、前記判定基準値設定手段は、前記検出手段によって検出した受信状態に応じて、前記タイムコードのパルス幅判定基準値を設定することを特徴とする請求項２記載の電波時計。
【請求項４】
前記受信手段は、受信した前記電波信号を増幅するＡＧＣアンプ部と、前記ＡＧＣアンプ部の出力信号に基づいて前記ＡＧＣアンプ部のゲインを制御するためのＡＧＣ制御信号を前記ＡＧＣアンプ部に供給するＡＧＣ制御部とを有し、
前記検出手段は前記ＡＧＣ制御信号の信号レベルに基づいて受信状態を検出し、前記判定基準値設定手段は、前記検出手段によって検出した受信状態に応じて、前記タイムコードのパルス幅判定基準値を設定することを特徴とする請求項１記載の電波時計。
【請求項５】
前記検出手段は所定のノイズの有無に基づいて受信状態を検出し、前記判定基準値設定手段は、前記検出手段によって検出した受信状態に応じて、前記タイムコードのパルス幅判定基準値を設定することを特徴とする請求項１記載の電波時計。
【発明の詳細な説明】
【技術分野】
【０００１】
本発明は、電波で受信した時刻情報に基づいて時刻を修正する電波時計に関する。
【背景技術】
【０００２】
従来から、現在時刻の情報を有するタイムコードを電波で受信して、前記タイムコードに対応する時刻に自動修正する電波時計が開発されている。電波時計においてタイムコードを判別する場合、従来は受信したタイムコードを構成するパルス信号のアクティブパルス幅を測定し、固定した所定の判定基準値と比較し、タイムコードを判別していた（特許文献１、２参照）。
たとえば、日本の標準電波の場合、アクティブパルス幅が２００ｍｓｅｃなら符号”Ｐ”、５００ｍｓｅｃなら符号”１”、８００ｍｅｓｃなら符号”０”と判別していた。
タイムコードは、１ｂｐｓで送信され、前記タイムコードを構成するパルス信号の周期は１ｓｅｃである。日本の場合、４０ＫＨｚ又は６０ＫＨｚの搬送波に１ｂｐｓのタイムコードを重畳して送信している。受信側では送信された標準電波を理想的に受信できれば、１ｂｐｓの信号の周期は１秒となるが、電界強度の変化や、受信機の周りの環境により、１ｂｐｓ信号の周期が揺らぐ場合がある。それに伴い、受信したタイムコードのアクティブパルス幅も揺らぐ。
【０００３】
前記特許文献１、２に記載された従来の電波時計では、判定基準値が固定した値であるため、タイムコードの判別を間違ってしまい、時刻データが正しく認識できないという問題があった。
また、受信環境によっては受信信号Ｓ／Ｎ比が悪化し、タイムコードの判別が困難になる場合が生じるが、パルス判定基準値を固定で比較するために、間違った判別を行う危険性があった。また、受信回路は、電界強度が弱く受信信号が小さい場合、ＡＧＣ（自動利得制御）アンプにより、ゲインを高めるように制御されるが、ノイズも増幅されるために、入力信号が弱い場合、間違ったタイムコードの判別を行う危険性があった。
【０００４】
【特許文献１】特開平２００１−１０８７７０号公報（段落〔００２０〕〜〔００４１〕、図１）
【特許文献２】特開２００３−２２２６８７号公報（段落〔００３２〕〜〔００６０〕、図１〜図６）
【発明の開示】
【発明が解決しようとする課題】
【０００５】
本発明は、電波時計の受信状態が変化した場合でも、タイムコードの判別をより正確に行えるようにすることを課題としている。
【課題を解決するための手段】
【０００６】
本発明によれば、現在時刻の情報を有するタイムコードを含む電波信号を受信する受信手段と、パルス幅判定基準値に基づいて前記タイムコードを判別する判別手段と、計時手段で計時している時刻を、前記判別手段が判別したタイムコードに対応する時刻に修正する時刻修正手段と、前記計時手段で計時している現在時刻を表示する表示手段とを有する電波時計において、前記電波信号の受信状態を検出する検出手段と、前記検出手段によって検出した受信状態に応じて、前記タイムコードのパルス幅判定基準値を設定する判定基準値設定手段とを備えて成り、前記判別手段は、前記判定基準値設定手段が新たに設定したパルス幅判定基準値に基づいて前記タイムコードを判別することを特徴とする電波時計が提供される。判別手段は、判定基準値設定手段が新たに設定したパルス幅判定基準値に基づいてタイムコードを判別する。
【０００７】
ここで、前記検出手段は前記タイムコードを構成するパルス信号の周期の変動に基づいて受信状態を検出し、前記判定基準値設定手段は、前記検出手段によって検出した受信状態に応じて、前記タイムコードのパルス幅判定基準値を設定するように構成してもよい。
また、前記検出手段は前記パルス信号の周期の所定数の移動平均値に基づいて受信状態を検出し、前記判定基準値設定手段は、前記検出手段によって検出した受信状態に応じて、前記タイムコードのパルス幅判定基準値を設定するように構成してもよい。
【０００８】
また、前記受信手段は、受信した前記電波信号を増幅するＡＧＣアンプ部と、前記ＡＧＣアンプ部の出力信号に基づいて前記ＡＧＣアンプ部のゲインを制御するためのＡＧＣ制御信号を前記ＡＧＣアンプ部に供給するＡＧＣ制御部とを有し、前記検出手段は前記ＡＧＣ制御信号の信号レベルに基づいて受信状態を検出し、前記判定基準値設定手段は、前記検出手段によって検出した受信状態に応じて、前記タイムコードのパルス幅判定基準値を設定するように構成してもよい。
また、前記検出手段は所定のノイズの有無に基づいて受信状態を検出し、前記判定基準値設定手段は、前記検出手段によって検出した受信状態に応じて、前記タイムコードのパルス幅判定基準値を設定するように構成してもよい。
【発明の効果】
【０００９】
本発明によれば、電波時計の受信状態が変化した場合でも、タイムコードの判別をより正確に行うことが可能になる。
【発明を実施するための最良の形態】
【００１０】
以下、本発明の実施の形態に係る電波時計について説明する。
図１は、本発明の実施の形態に係る電波時計のブロック図である。
図１において、電波時計は、受信回路部１、中央処理装置２、表示部３、入力部４、ランダムアクセスメモリ（ＲＡＭ）５、読み出し専用メモリ（ＲＯＭ）６、発振回路７を備えている。受信回路部１は、自動利得制御（ＡＧＣ）アンプ（ＡＧＣＡＭＰ）部８、フィルタ部９、アンプ部１０、自動利得制御（ＡＧＣ制御）部１１、整流部１２、波形整形部１３を備えている。ここで、受信回路部１は受信手段を構成し、ＣＰＵ２は判別手段、時刻修正手段、検出手段及び判定基準値設定手段を構成し、表示部３は表示手段を構成し、入力部４は入力手段を構成し、ＲＡＭ５及びＲＯＭ６は記憶手段を構成している。
【００１１】
受信回路部１では、現在時刻を表すタイムコードを含む長波標準電波をアンテナ（図示せず）で受信し、ＡＧＣアンプ部８で増幅する。ＡＧＣアンプ部８は入力信号の大小にあわせ増幅率を変化させ、一定範囲の出力が得られるように動作する。ＡＧＣアンプ８の出力をフィルタ部９で、必要周波数成分だけを濾過する。フィルタ部９の出力をアンプ部１０で再度増幅し、その後整流部１２で整流し、その出力を波形整形部１３とＡＧＣ制御部１１に入力する。ＡＧＣ制御部１１では、整流部１２の出力を入力し、ＡＧＣＡＭＰ部８の入力が大きい場合は、ＡＧＣＡＭＰ部８の増幅率を下げるように、あるいは、ＡＧＣＡＭＰ部８の入力が小さい場合は、ＡＧＣＡＭＰ部８の増幅率を上げるようにＡＧＣ制御電圧をＡＧＣアンプ部８に出力する。
【００１２】
波形整形部１３では、整流部１２の波形をデジタル波形に整形し、ＣＰＵ２の入カポートＩＮＰＯＲＴに入力する。ＡＧＣ制御部１１の出力は、ＡＧＣアンプ部８に入力されると同時にＣＰＵ２のＡ／Ｄ変換入カポートＡ／ＤＩＮに入力される。発振回路部７では、ＣＰＵ２の動作に必要な基準クロックを生成し、ＣＰＵ２のＯＳＣ端子に入力する。
ＣＰＵ２は、ＯＳＣ入力端子より入力された信号を分周し、タイムコードを構成するパルス信号を測定する基準信号を生成する。また、ＣＰＵ２の時刻カウント部により、時刻を計時する。ＣＰＵ２で、受信回路部１で受信した信号から時刻データをデコードし、ＣＰＵ２内部の分周部、時刻カウント部の修正を行い、タイムコードに対応する現在時刻を表示部で表示する。
このとき、電波時計がおかれている環境や、電波の電界強度の変化に応じて、タイムコードのパルス幅判定基準値を可変にしているので、タイムコードのパルス幅判定基準値が固定である場合に比べ、正確に信号を受信することができる。
図２〜図４は、本発明の実施の形態に係る電波時計の処理を示すフローチャートである。
【００１３】
以下、図１〜図４を用いて、本実施の形態の動作を説明する。
入力部４のキー操作が行われたり、予めＲＡＭ５に設定された受信時刻になると、電波時計は受信動作を開始する。受信回路部１によって受信した受信信号（タイムコードを含む電波信号）は、ＣＰＵの入力ポートＩＮＰＯＲＴに入力される。ポートＩＮＰＯＲＴは、受信信号の立ち上がり、及び立下りの両方のエッジで割り込みがかかる機能があるが、初期値は、立ち上がりエッジのみで割り込みがかかるように設定される。
ポートＩＮＰＯＲＴに入力される信号の立ち上がりエッジで処理がスタートし、ＣＰＵ２は、周期測定回数が６となったかどうか判断する（図２のステップＳ１）。
【００１４】
ＣＰＵ２は、周期測定回数が６でないと判断した場合、周期測定回数が０か否かを判断する（ステップＳ２）。受信信号が初めての入力の場合、周期測定回数は０である。０であるならば、周期測定回数を１とし（ステップＳ１５）、入力信号の立ち上がり〜立ち上がりの時間計測（周期計測）をスタートさせる（ステップＳ１６）。この計測には、発振回路部７の信号をＣＰＵ２に入力し、分周した基準クロックで計測する。
受信信号の波形としては、当然立下りもあるが、現在、立ち上がりエッジのみで割り込みがかかるように設定してあるので、立下りエッジは無視される（この区間を同期捕捉（標準電波信号に重畳されるタイムコードの周期１秒に受信機を同期させること。）と呼ぶ。）。
【００１５】
次の立ち上がり信号が入力された場合は、周期測定回数＝１であるので、信号の同期補足を行い（ステップＳ３）、立ち上がり〜立ち上がりの周期測定が実施される（ステップＳ４）。ここで測定された周期が約１秒（例えば０．９〜１．１ｓｅｃ）であるならば（ステップＳ５）、ＲＡＭ５に設けられた周期メモリＴｒｅｃ（１）に記憶し（ステップＳ６）、周期測定回数をインクリメントする（ステップＳ７）。
【００１６】
測定した周期が約１秒（例えば０．９〜１．１ｓｅｃ）で無い場合は、周期測定回数を０とし、初めからやリ直す（ステップＳ１７）。
つまり、かならず、連続して５回、約１秒（例えば０．９〜１．１ｓｅｃ）の信号を確認することが必要となる。このように、本実施の形態では、５回連続して周期が約１秒のタイムコードを構成するパルス信号が得られれば、同期捕捉したとみなしている。まず、同期捕捉で、タイムコードの周期１秒に同期させ、続いて、タイムコードのパルス測定を行うようにしている。周期測定で、連続して５回約１秒が測定されたら（ステップＳ８）、周期の平均処理を行う（ステップＳ９）。
【００１７】
前記同期捕捉及び周期移動平均値処理を更に説明すると、受信が開始されると、パルスの立ち上がりから、次のパルスの立ち上がりまでの時間を測定し、その時間をメモリＴｒｅｃ（１）に記憶し、次のパルスの立ち上がりまでの時間をメモリＴｒｅｃ（２）に記憶し、順次パルスの立ち上がりから立ち上がりまでの時間を測定し、メモリＴｒｅｃ（ｎ）に記憶する。各メモリＴｒｅｃ（１）〜Ｔｒｅｃ（ｎ）はＲＡＭ５に設けられている。
ここで、期待するＴｒｅｃ（ｎ）の値は約１ｓｅｃ（例えば、０．８〜１．２ｓｅｃ）であるので、１ｓｅｃに満たない（たとえば、３００ｍｓｅｃ以下）場合は、Ｔｒｅｃ（ｎ）に記憶することなく、再度初めから周期の測定を行う。つまり、連続して、パルスの立ち上がりから、次のパルスの立ち上がりまでの時間が、約１秒となることを確認する。
【００１８】
ｎの値を５とすると、約５秒間の周期信号が測定される。移動平均であるから、周期の平均値は、
ＴｒｅｃＡ＝（Ｔｒｅｃ（１）＋Ｔｒｅｃ（２）＋・・・＋Ｔｒｅ（５））×１／５        ・・・（１）式
ＴｒｅｃＡ＝（Ｔｒｅｃ（２）＋Ｔｒｅｃ（３）＋・・・＋Ｔｒｅｃ（６））×１／５      ・・・（２）式
ＴｒｅｃＡ＝（Ｔｒｅｃ（３）＋Ｔｒｅｃ（４）＋・・・＋Ｔｒｅｃ（７））×１／５      ・・・（３）式
となる。
【００１９】
受信開始後、パルスの立ち上がりから次のパルスの立ち上がりまでの時間が、達続して５回約１秒（例えば、０．８〜１．２ｓｅｃ）であった場合に、受信信号のタイムコード周期を捕捉できたと判断し、その後アクティブパルス幅の測定に移る。
受信開始後、前記（１）式により、約５秒間の周期測定後、次のタイムコードの判別から、（１）式で示される周期のＴｒｅｃＡを利用する。
ＴｒｅｃＡと１秒との比、つまりＴｒｅｃＡそのものをタイムコード判定基準値に乗じる。たとえば、タイムコード周期１秒の時の判定基準値（ＰＴ）（周期の揺らぎによるパルス判定基準値）は、コード”Ｐ”、”１”、”０”が各々、２００ｍｓｅｃ、５００ｍｓｅｃ、８００ｍｓｅｃのとき、タイムコード周期ＴｒｅｃＡの時の判定基準値は、各々、２００ｍｓｅｃ×ＴｒｅｃＡ、５００ｍｓｅｃ×ＴｒｅｃＡ、８００ｍｓｅｃ×ＴｒｅｃＡとなる。
【００２０】
処理ステップＳ８の時点で、周期測定回数は６となっている。速続して５回約１秒が測定されたので、次の入力からアクティブパルス幅の測定に移るために、入カエッジの反転（ＣＰＵ２のポートＩＮＰＯＲＴを立下りエッジで割リ込みがかかるように設定する。）を行う（ステップＳ１０）。
次に入力信号が立下リ、ＣＰＵに対して割り込みがかかった場合、周期測定回数が６であるので（ステップＳ１）、同期捕捉後の周期測定＆パルス幅測定処理に移る（ステップＳ１１）。次のポートＩＮＰＯＲＴ入力のためにエッジを反転しておく（ステップＳ１２）。即ち、立下りで入力したのであれば、立ち上がりエッジに、立ち上がりで入力したのであれば、立下りエッジにＣＰＵ２のポートＩＮＰＯＲＴの割り込み設定をしておく。
今回は立下りで入力したので（ステップＳ１３）、アクティブパルス幅の測定に移る（ステップＳ１４）。パルス幅の測定が終了したら、処理は終了し、次の割り込みを待つ。
【００２１】
次に処理に移るのは、入力信号が立ち上がりで入力した場合である。処理ステップＳ１３において、立ち上がりで入力した場合は、タイムコードを構成する駆動パルス信号の周期測定に移る（図３のステップＳ２１）。
周期を測定し、約１秒（例えば、０．８〜１．２ｓｅｃ：ステップＳ５における約１秒の条件よりも緩くする。即ち、同期捕捉をするまでは条件を厳しくする。）であるなら（ステップＳ２２）、周期メモリＴｒｅｃ（ｎ）に記憶し（ステップＳ２３）、直近の過去５回分の移動平均値を演算する（ステップＳ２４）。ステップＳ２４は検出手段を構成している。
【００２２】
次にパルス幅判定値設定処理により、パルス幅の判定基準値を設定する（ステップＳ２５）。パルス幅の判定基準値設定処理は、図４に示すようにして行う。
即ち、図４において、まず、平均周期偏差別パルス幅判定値設定処理（ステップＳ４２）では、演算された、移動平均値を各タイムコードに対応するアクティブパルス幅に乗じ、アクティブパルス幅判定基準値を設定する（ステップS４３）。前記判定基準値はＲＡＭ５に記憶する。処理ステップＳ４３は判定基準値設定手段を構成している。
【００２３】
例えば、演算された移動平均値が１．１ｓｅｃであるなら、各判定基準値は、コード”Ｐ”は２００ｍｓｅｃから２２０ｍｓｅｃに、コード”１”は５００ｍｓｅｃから５５０ｍｓｅｃに、コード”０”は８００ｍｓｅｃから８８０ｍｓｅｃに変更して設定する（ステップＳ２６）。演算された判定基準値を用いてアクティブパルス幅の判別をするが、判定基準値はただ一つの値とするよりも幅を持たせることも実用的であるので、幅の中心値を上記演算により可変としても良い。
次に、１０秒間ごとのノイズの数に応じてアクティブパルス幅の判定基準値を可変しても良い（ノイズ数別パルス幅判定値設定処理：ステップＳ４４）。その場合、ノイズ測定用１０秒間カウンタを周期測定ごとにインクリメントし（ステップＳ４５）、ノイズ測定用１０秒カウンタが１０秒であるならば（ステップＳ４６）、前記カウンタをクリアし（ステップＳ４７）、ノイズ数別パルス幅判定値設定を行う（ステップＳ４８）。ステップＳ４６で、１０秒でない場合は、前回のパルス幅判定基準値とする。処理ステップＳ４４〜Ｓ４７は検出手段を構成している。
【００２４】
タイムコードの理想パルス幅（ＰＴ）は、コード”Ｐ”＝２００ｍｓｅｃ、コード  ”１”＝５００ｍｓｅｃ、コード”０”＝８００ｍｓｅｃである。例えば、１０秒間のノイズの数が０〜３個の場合はＰＴ±２０％（判定基準値１）とし、１０秒間のノイズの数が４〜６個の場合はＰＴ±１０％（判定基準値２）とし、１０秒間のノイズの数が７〜９個の場合はＰＴ±５％（判定基準値３）とする。前記判定基準値はＲＡＭ５に記憶する。処理ステップＳ４８は判定基準値設定手段を構成している。
【００２５】
また、受信回路部１のＡＧＣ電圧（ＡＧＣ制御部１１からＡＧＣアンプ部８及びＣＰＵ２に出力されるＡＧＣ制御信号の電圧）をＣＰＵ２のＡ／Ｄ入カポートで測定し、ＡＧＣ電圧の信号レベルにより、以下のようにアクティブパルス幅の判定基準値を設定しても良い（ステップＳ４９）。例えば、ＡＧＣアンプ部８の制御電圧値（ＡＧＣ制御部１１が出力するＡＧＣ制御信号の電圧値）が９０ｍＶ以上の場合はＰＴ±２０％（判定基準値１）、制御電圧値が６０ｍＶ〜９０ｍＶの場合はＰＴ±１０％（判定基準値２）、制御電圧値が６０ｍＶ以下の場合はＰＴ±５％（判定基準値３）とし（ステップＳ５０）、アクティブパルス幅の判定基準値を設定する（ステップＳ５１）。前記判定基準値はＲＡＭ５に記憶する。処理ステップＳ４９、Ｓ５０は検出手段を構成し、処理ステップＳ５１は判定基準値設定手段を構成している。
尚、（１）周期の揺らぎの平均値から算出したアクティブパルス判定基準値、（２）ノイズの数から設定したアクティイブパルス判定基準値、（３）ＡＧＣ電圧値から設定したアクティブパルス判定基準値を単独で用いても良く、組み合わせて判定基準値を設定しても良い。その場合の優先順位は、高いほうから（２）、（３）、（１）となる。
【００２６】
前記判定基準値に基づいてタイムコードを判別し（ステップＳ２６）、時刻デ一タの復号処理を行い（ステップＳ２７）、分周回路部及び時刻カウント部の修正を行い（ステップＳ２８）、修正した時刻を表示する（ステップＳ２９）。ここで、ＣＰＵ２における処理ステップＳ２６は判別手段を構成し、処理ステップＳ２７、Ｓ２８は時刻修正手段を構成している。
ステップＳ２２で測定した周期が、約１秒で無い場合、約１秒以下か以上か判断する（ステップＳ３０）。ステップＳ２２で、約１秒の判別を０．８ｓｅｃから１．２ｓｅｃとしているので、０．８ｓｅｃ未満は１秒以下、１．２ｓｅｃを超えるものは１秒以上と判断する。
【００２７】
ステップＳ３０において、約１秒以上と判断した場合は、時刻データをデコードできないので、エラーと扱い（ステップＳ３４）、周期測定回数を０とし（ステップＳ３５）、再度５回連続１秒周期を取得する処理（同期捕捉）から始める。
ステップＳ３０において、約１秒以下と判断した場合は、ノイズが入力されたと判断する。ノイズと判断された場合は、ノイズ数のカウントを行うために、ノイズカウンタをインクリメントする（ステップＳ３１）。例えば、ノイズの数が１０個以上であれば、受信に適しない環境であることが想像されるので、ノイズカウンタをクリアし（ステップＳ３３）、エラーとして扱い（ステップＳ３４）、周期測定回数を０とし（ステップＳ３５）、再度５回連続１秒周期を取得する処理（同期捕捉）から始める。
【００２８】
以上述べたように本発明の実施の形態に係る電波時計によれば、受信回路部１が現在時刻の情報を有するタイムコードを含む電波信号を受信すると、検出手段は前記電波信号の受信状態を検出し、判定基準値設定手段はタイムコードを構成するパルス信号の周期、ノイズの情況、あるいは、受信強度の状態に応じて、前記タイムコードのパルス幅判定基準値を設定し、判別手段は前記設定したパルス幅判定基準値に基づいて前記タイムコードを判別するようにしている。
【００２９】
即ち、本実施の形態では、受信状態を検出して、タイムコードのパルス幅判定基準値を可変としている。
このとき、受信状態は、例えば、タイムコードの周期（パルスの立ち上がり〜立ち上がり）の変動により判断する。この場合、受信した１ｂｐｓ信号の周期を複数記憶し、移動平均を取り、理想周期１ｓｅｃに対する比Ａを演算する。この比Ａをアクティブパルス判定基準値に乗じて、新しいアクティブパルス判定基準値（パルス幅判定基準値）とする。
また、受信状態は、ＡＧＣ電圧（受信電波の電界強度に対応する。）で判断する。この場合、受信回路部１のＡＧＣアンプ部８は、入力信号の大小に応じて、一定出力値となるように制御されるが、その制御電圧（ＡＧＣ電圧）を検出し、ＡＧＣ電圧が小である場合は入力信号波形が小さい（＝電界強度が弱い）と判断し、パルス判定基準値を厳しく設定する。
【００３０】
さらに、受信状態は、ノイズ信号を検出して、ノイズ信号の有無および数で判断する。この場合、受信した波形からノイズと判断した数をカウントし、受信環境を判断して受信に適しない場合は、パルス判定基準値を厳しく設定する。
このように、受信状態の変化に応じて判定基準値を変えるようにしているため、タイムコードの判別をより正確に行うことが可能になる。
【産業上の利用可能性】
【００３１】
日本国のみならず米国等、時刻修正用の標準電波を使用している国において利用される電波時計にも適用可能である。
【図面の簡単な説明】
【００３２】
【図１】本発明の実施の形態に係る電波時計のブロック図である。
【図２】本発明の実施の形態に係る電波時計の処理を示すフローチャートである。
【図３】本発明の実施の形態に係る電波時計の処理を示すフローチャートである。
【図４】本発明の実施の形態に係る電波時計の処理を示すフローチャートである。
【符号の説明】
【００３３】
１・・・受信手段を構成する受信回路部
２・・・判別手段、時刻修正手段、検出手段、判定基準値設定手段を構成するＣＰＵ
３・・・表示手段を構成する表示部
４・・・入力手段を構成する入力部
５・・・記憶手段を構成するＲＡＭ
６・・・記憶手段を構成するＲＯＭ
７・・・発振回路
８・・・ＡＧＣアンプ部
９・・・フィルタ部
１０・・・アンプ部
１１・・・ＡＧＣ制御部
１２・・・整流部
１３・・・波形整形部
【図１】
2007218821.tif 000003
【図２】
2007218821.tif 000004
【図３】
2007218821.tif 000005
【図４】
2007218821.tif 000006